(57)【要約】      （修正有）【課題】廊下などの限られたスペースに設置でき、不使用時には回転させて収納でき、介護者の付き添いを必要とせず、日常的にリハビリテーションを行う場合に使用できる健康促進器具を提供する。【解決手段】回転固定台１１の上に、壁面取り付け用の鞘管１４を通して本体支柱１２を垂直に立設し、該本体支柱１２の上方部を曲折させ、該本体支柱１２に対し略直交する方向に延びる水平アーム１３を形成し、水平アーム１３の先端に設けられている回転フック１５を介して吊した滑車１６にロープ１７を懸回し、該ロープ１７の両端部１８に使用者が把持する把持具２１、２２を取り付けた健康促進器具１０。【選択図】図１
0003166110.tif 000002
【実用新案登録請求の範囲】
【請求項１】
回転固定台の上に、壁面取り付け用の鞘管を通して本体支柱を垂直に立設し、
該本体支柱の上方部を曲折させ、該本体支柱に対し略直交する方向に延びる水平アームを形成し、
該水平アームの先端に設けられている回転フックを介して吊した滑車にロープを懸回し、
該ロープの両端部に使用者が把持する把持具を取り付けていることを特徴とする健康促進器具。
【請求項２】
前記水平アームが、回転固定台上の本体支柱を軸に回転するようにしたことを特徴とする請求項１に記載の健康促進器具。
【考案の詳細な説明】
【技術分野】
【０００１】
本考案は、疾病や外傷などの後遺症を持つ人の機能回復訓練や、筋肉の弱った人が無理なく肩、腕などの運動をするために使用する健康促進器具に関する。
【背景技術】
【０００２】
従来、例えば、後遺症を持つ人のリハビリテーションは、病院等の広い訓練室の中に設置した特別の装置を用いて、看護師や訓練士等の介護者が個別に付き添って行っていた。
【先行技術文献】
【特許文献】
【０００３】
【特許文献１】実開平６−２６８４７号公報
【考案の概要】
【考案が解決しようとする課題】
【０００４】
しかし、リハビリテーションのために病院等に広い訓練室を確保することは難しく、また、日常的にリハビリテーションを行うために介護者の付き添いを求めることも経済的な負担も大きい。
この考案は、廊下などの限られたスペースに設置でき、不使用時には回転させて収納でき、
介護者の付き添いを必要とせず、日常的にリハビリテーションを行う場合に使用できる健康促進器具を提供することを目的とする。
【課題を解決するための手段】
【０００５】
（１）本考案の健康促進器具は、回転固定台の上に、壁面取り付け用の鞘管を通して本体支柱を垂直に立設し、
該本体支柱の上方部を曲折させ、該本体支柱に対し略直交する方向に延びる水平アームを形成し、
該水平アームの先端に設けられている回転フックを介して吊した滑車にロープを懸回し、
該ロープの両端部に使用者が把持する把持具を取り付けていることを特徴とする。
（２）本考案の健康促進器具は、前記（１）において、前記水平アームが、回転固定台上の本体支柱を軸に回転するようにしたことを特徴とする。
【考案の効果】
【０００６】
本考案の健康促進器具は、廊下などの限られたスペースに設置でき、不使用時には回転させて収納でき、介護者の付き添いを必要とせず、日常的にリハビリテーションを行う場合に使用でき、不使用時には、曲折した水平アームを壁面側に回転させておくことにより、吊り下げられたロープが邪魔にならないようにすることができる。
本考案の健康促進器具を用いて、両腕を交互に上下させる運動を何回か繰り返すことにより、腕や肩の間接を柔らかくしたり、また、把持具を持ったままの上下運動や腕の振り回しの運動を行うことができる。
【図面の簡単な説明】
【０００７】
【図１】本考案の実施形態の健康促進器具の全体を示す側面図である。
【図２】実施形態の健康促進器具の本体支柱を通し壁面に固定するための鞘管の拡大図であり、（ａ）は平面図であり、（ｂ）は側面図である。
【図３】実施形態の健康促進器具を使用状態を示す概略説明図である。
【考案を実施するための形態】
【０００８】
図１は、本考案の実施形態の健康促進器具の全体を示す側面図である。
図２は、実施形態の健康促進器具の本体支柱を通し壁面に固定するための鞘管の拡大図であり、（ａ）は平面図であり、（ｂ）は側面図である。
図示するように、本考案の健康促進器具１０は、回転固定台１１の上に、壁面取り付け用の鞘管１４を通して本体支柱１２を垂直に立設し、該本体支柱１２の上方部を曲折させ、該本体支柱１２に対し略直交する方向に延びる水平アーム１３を形成し、水平アーム１３の先端に設けられている回転フック１５を介して吊した滑車１６にロープ１７を懸回し、該ロープ１７の両端部１８に使用者が把持する把持具２１、２２を取り付けている。
【０００９】
回転固定台１１は、床面にボルト等によって固着され、この回転固定台１１上に本体支柱１２の下端部が垂直軸回りに回動可能（矢印Ｍ）に取り付けられている。
本体支柱１２の上方部（本体支柱の上方部の略１／４程度の長さ）は、本体支柱１２と略直交する方向に曲折され水平な水平アーム１３を形成している。
本体支柱１２や水平アーム１３の材質としては、スチール製のパイプの表面に塗装処理したものなどが強度の点で好ましい。
鞘管１４は、健康促進器具１０を垂直な壁面や柱に取り付けるための治具であり、本体支柱１２を鞘管１４の内部に通し、鞘管１４の後部に設けられた支持板１４ａを壁面３１にビスなどで固定するようにしている。
【００１０】
水平アーム１３の先端下部には、垂直軸回りに回転可能な回転フック１５が設けられており、この回転フック１５の下方に滑車１６が吊り下げられ、滑車１６には、ロープ１７が懸回されている。
そして、滑車１６に懸回されたロープ１７の両端部１８、１８には、使用者が把持する把持具２１、２２が取り付けられている。
把持具２１、２２としては、ロープ１７をその中空部に通した木製やプラスチック製の中空管（いわゆるちくわ形状のもの）などが挙げられる。
ロープの長さは、ロープ１７を中空管に通した後、いわゆるもやい結びをすることにより調節することができる。
また、端部１８に長さ調節具１９を設け、ロープ１７の長さを自在に調節するようにすることもできる。
【００１１】
本考案の実施形態の健康促進器具１０を使用するときは、椅子に腰掛けた状態で行うようにすれば手軽にできる。
例えば、使用状態を示す概略説明図である図３に示すように、まず、使用者は、水平アーム１３の直下に位置してロープ１７の両端部１８、１８に吊り下げられている把持具２１、２２を両手で把持する。
【００１２】
この状態で、一方の手で把持具２１を引くと、滑車１５及びロープ１７を介して他の把持具２２を持った手が上に引き上げられる。
このようにして、両腕を交互に上下させる運動を何回か繰り返すことにより、腕や肩の間接を柔らかくしたり、また、把持具を持ったままの上下運動や腕の振り回しの運動を行うことができる。
使用時においては、水平アーム１３が、回転固定台１１上の本体支柱１２を軸に回転（回転可能矢印Ｍ）して首を振るようになるので、使用者の肩に無理な負担を掛けることがない。
なお、不使用時には、曲折した水平アーム１３を壁面３１側に回転させておくことにより、吊り下げられたロープが邪魔にならないようにすることができる。
【産業上の利用可能性】
【００１３】
本考案の健康促進器具は、廊下などの限られたスペースに設置でき、不使用時には回転させて収納でき、介護者の付き添いを必要とせず、日常的にリハビリテーションを行う場合に気軽に使用でき、不使用時には、曲折した水平アームを壁面側に回転させておくことにより、吊り下げられたロープが邪魔にならないようにすることができる。
したがって、疾病や外傷などの後遺症を持つ人の機能回復訓練や、筋肉の弱った人が無理なく腕、肩の運動をするために使用することができるので、産業上の利用可能性が極めて高い。
【符号の説明】
【００１４】
１０  健康促進器具
１１  回転固定台
１２  本体支柱
１３  水平アーム
１４  壁面取り付け用の鞘管
１４ａ  支持板
１５  回転フック
１６  滑車
１７  ロープ
１８  ロープの両端部
１９  長さ調節具
２１、２２  把持具
３１  壁面
Ｍ  回動可能矢印
【図１】
0003166110.tif 000003
【図２】
0003166110.tif 000004
【図３】
0003166110.tif 000005